(57)【要約】      （修正有）【課題】テープ交換時に発生するトラブルを解消する粘着テープホルダの提供。【解決手段】ケースカバー、バネ、押し部材、カッタブロック及びストッパブロックを包含する。ケースカバーに収容部と二つの軌道が設けられ、押し部材にプッシュブロックと二つのスライドが設けられ、バネ及びプッシュブロックが収容部中に設置され、スライドが対応する軌道中に設置され、プッシュブロック及び二つのスライドの設置により、押し部材がケースカバーの上に設置される。また、ケースカバーに前立柱及び上立柱が設けられ、ストッパブロックが前立柱に嵌合され、ストッパブロックがケースカバーの上に設置され、カッタブロックが上立柱に嵌合され、カッタブロックがケースカバー上に設置され、且つカッタブロックが押し部材の上方に重畳され、また、押し部材の形状により、収容部が閉じた収容部を形成する。【選択図】図３
0003141386.tif 000002
【実用新案登録請求の範囲】
【請求項１】
ケースカバー、バネ、押し部材、カッタブロック及びストッパブロックを包含し、該ケースカバーに収容部と二つの軌道が設けられ、該押し部材にプッシュブロックと二つのスライドが設けられ、該バネ及び該プッシュブロックが該収容部中に設置され、該スライドが対応する該軌道中に設置され、該プッシュブロック及び二つの該スライドの設置により、該押し部材が該ケースカバーの上に設置される。また、該ケースカバーに前立柱及び上立柱が設けられ、該ストッパブロックが該前立柱に嵌合され、該ストッパブロックが該ケースカバーの上に設置され、該カッタブロックが該上立柱に嵌合され、該カッタブロックが該ケースカバー上に設置され、且つ該カッタブロックが該押し部材の上方に重畳され、また、該押し部材の形状により、該収容部が閉じた収容部を形成することを特徴とする、粘着テープホルダ。
【請求項２】
請求項１記載の粘着テープホルダにおいて、該カッタブロックにカッタが設けられ、該ケースカバーにカッタ受け部が設けられ、該カッタはテープを切断する時に最終的に該カッタ受け部上に落ち、この時、該カッタ受け部が該カッタと平行に当接することを特徴とする、粘着テープホルダ。
【請求項３】
請求項１記載の粘着テープホルダにおいて、該押し部材に円弧形手押し部が設けられ、該カッタブロックに三角ブロックが設けられ、該三角ブロックが該円弧形手押し部の下側に設けられたことを特徴とする、粘着テープホルダ。
【請求項４】
請求項１記載の粘着テープホルダにおいて、該押し部材に立柱が設けられ、該立柱に歯車が嵌合されたことを特徴とする、粘着テープホルダ。
【請求項５】
請求項１記載の粘着テープホルダにおいて、該押し部材に位置決め片が設けられ、該位置決め片が該押し部材の前端に設けられたことを特徴とする、粘着テープホルダ。
【請求項６】
請求項１記載の粘着テープホルダにおいて、該ストッパブロックが抗粘着性の材質とされたことを特徴とする、粘着テープホルダ。
【請求項７】
請求項１乃至請求項６のいずれかに記載の粘着テープホルダにおいて、さらに上蓋を包含し、該ストッパブロックにストッパ片が凸設され、該ストッパブロックが回転する時、該ストッパ片が該ケースカバーと該上蓋の組合せ後に形成されるテープ出口を封じることを特徴とする、粘着テープホルダ。
【考案の詳細な説明】
【技術分野】
【０００１】
本考案は一種の粘着テープホルダに係り、特に、カッタを自動収容する粘着テープホルダの構造に関する。
【背景技術】
【０００２】
粘着テープはその発明以来、家庭用から工業用まで広く使用され、粘着テープは人類の不可欠の工具となっており、家庭、会社、工場には各種粘着テープが置かれている。しかし、粘着テープは粘着性を有し、またロール形状とされるため、使用者は粘着テープを使用後に切断する時に、操作が容易でないために煩わしい思いをする。露出式のカッタを具えたテープホルダはテープロールの使用を補助するが、このような露出式カッタを具えたテープホルダは、使用者が不注意からカッタで手を切ることがある。このため図１のようなテープホルダが提供された。このようなテープホルダは、使用者がテープを切断した後に、自動的にカッタがホルダ内に収容され、安全性と便利性の効果を兼ね備えている。しかし、このようなテープホルダはバネをカッタの収縮のキー構造として利用しているが、図１の周知のバネ（Ａ）はテープロール（Ｂ）の後方に置かれ、テープロール（Ｂ）を交換する時には、バネが非常に大きな確率でケース（Ｃ）より飛び出し、全体の機構が有効に動作しなくなり、テープ交換時の面倒さを増す。このため使用者の面倒を減らす新たな安全カッタ式粘着テープホルダの提供が求められている。
【考案の開示】
【考案が解決しようとする課題】
【０００３】
本考案は周知の安全カッタ式粘着テープホルダがテープ交換時に、そのキー部品が飛び出し、全体構造が使用不能となる問題を解決する。
【課題を解決するための手段】
【０００４】
本考案の粘着テープホルダは、ケースカバー、バネ、押し部材、カッタブロック及びストッパブロックを包含する。該ケースカバーに収容部と二つの軌道が設けられ、該押し部材にプッシュブロックと二つのスライドが設けられ、該バネ及び該プッシュブロックが該収容部中に設置され、該スライドが対応する該軌道中に設置され、該プッシュブロック及び二つの該スライドの設置により、該押し部材が該ケースカバーの上に設置される。また、該ケースカバーに前立柱及び上立柱が設けられ、該ストッパブロックが該前立柱に嵌合され、該ストッパブロックが該ケースカバーの上に設置され、該カッタブロックが該上立柱に嵌合され、該カッタブロックが該ケースカバー上に設置され、且つ該カッタブロックが該押し部材の上方に重畳され、また、該押し部材の形状により、該収容部が閉じた収容部を形成する。
【考案の効果】
【０００５】
本考案は以上の構造により、周知の粘着テープホルダのテープ交換時に発生するトラブルを解決し、粘着テープホルダの使用をさらに便利とする。
【考案を実施するための最良の形態】
【０００６】
図２から図８に示されるように、本考案の粘着テープホルダは、ケースカバー１、バネ２、押し部材３、カッタブロック４及びストッパブロック５を包含する。該ケースカバー１に収容部１１と二つの軌道１２が設けられ、該押し部材３にプッシュブロック３１と二つのスライド３２が設けられ、該バネ２及び該プッシュブロック３１が該収容部１１中に設置され、該スライド３２が対応する該軌道１２中に設置され、該プッシュブロック３１及び二つの該スライド３２の設置により、該押し部材３が該ケースカバー１の上に設置される。また、該ケースカバー１に前立柱１４及び上立柱１３が設けられ、該ストッパブロック５が該前立柱１４に嵌合され、該ストッパブロック５が該ケースカバー１の上に設置され、該カッタブロック４が該上立柱１３に嵌合され、これにより該カッタブロック４が該ケースカバー１上に設置され、且つ該カッタブロック４が該押し部材３の上方に重畳され、また、該押し部材３の形状により、該収容部１１が閉じた収容部を形成し、これにより該収容部１１中に位置するバネ２のプッシュブロック３１との作動時の飛び出しが防止される。
【０００７】
該カッタブロック４にカッタ４１が設けられ、該ケースカバー１にカッタ受け部１５が設けられ、カッタ４１がテープ７を切断する時、最後にカッタ受け部１５上に落ち、この時、該カッタ受け部１５は該カッタ４１と平行に当接する。この機構により、カッタ４１がテープ７切断時にきれいに切断でき、この機構により、使用者はテープ７を切断して本考案の機構より分離するのに便利である。
【０００８】
該押し部材３に円弧形手押し部３３が設けられ、該カッタブロック４に三角ブロック４２が設けられ、該三角ブロック４２は該円弧形手押し部３３の下側に設けられ、該円弧形手押し部３３の外形及び該三角ブロック４２の対応位置により、使用者が後ろ向きに円弧形手押し部３３を引くか或いは円弧形手押し部３３を開放する時、該三角ブロック４２が該カッタブロック４を牽引し下向き或いは上向きに回転させ、並びにカッタ４１をそれにより移動させる。該押し部材３に立柱３６が設けられ該立柱３６に歯車６が嵌合され、該歯車６の設置により、使用者が本考案を使用してテープ７を貼り付ける時、支持点がないために前後に纏わることがない。また、該押し部材３に位置決め片３４が設けられ、該位置決め片３４は該押し部材３の前端に設けられ、該位置決め片３４の設置により、使用者が本考案を使用してテープ７を切断した後に、多過ぎるテープが本考案の機構外に残留することがない。
【０００９】
図５から図１１に示されるように、使用者が固定部３５に設置したテープ７を適当な長さでテーブル９に貼り付けて、テープ７を切断しようとする時、円弧形手押し部３３を後ろに引き、並びに押し部材３を軌道１２に沿って後ろに移動させる。このとき、円弧形手押し部３３の下方に位置する三角ブロック４２がその構造関係によりカッタブロック４を駆動して下向きに回転させ、並びにカッタ４１にテープ７を切断させる。これと同時に、収容部１１内に位置するバネ２が弾力の反作用によりプッシュブロック３１を前向きに押動し、これにより押し部材３が軌道１２に沿って前向きに移動し、並びにカッタブロック４を上向きに起こし、カッタ自動収容の安全構造を達成する。
【００１０】
また、該ストッパブロック５は抗粘性の材料とされ、該ストッパブロック５の材質により、使用者は本考案をライナーのない種類の両面テープに利用するとき、両面テープの粘着性による干渉を受けない。
【００１１】
さらに図１２から図１３に示されるように、本考案はさらに上蓋８を包含し、そのうち、該ストッパブロック５にはストッパ片５１が設けられ、該ストッパブロック５が回転する時、該ストッパ片５１により該ケースカバー１と該上蓋８の組合せ後に形成されるテープ出口（Ｘ）が閉じられ、これにより、本考案の機構内に位置するテープ７が外界の影響を受けて粘着力を失うことが防止される。
【図面の簡単な説明】
【００１２】
【図１】周知のテープホルダの構造図である。
【図２】本考案の立体図である。
【図３】本考案の部品図である。
【図４】本考案の部品図である。
【図５】本考案の操作表示図である。
【図６】本考案の操作表示図である。
【図７】本考案の操作表示図である。
【図８】本考案の操作表示図である。
【図９】本考案のバネ動作表示図である。
【図１０】本考案のバネ動作表示図である。
【図１１】本考案のバネ動作表示図である。
【図１２】本考案の立体図である。
【図１３】本考案の立体図である。
【符号の説明】
【００１３】
Ａ  バネ
Ｂ  テープロール
Ｃ  ケース
Ｘ  テープ出口
１  ケースカバー
１１  収容部
１２  軌道
１３  上立柱
１４  前立柱
１５  カッタ受け部
２  バネ
３  押し部材
３１  プッシュブロック
３２  スライド
３３  円弧形手押し部
３４  位置決め片
３５  固定部
３６  立柱
４  カッタブロック
４１  カッタ
４２  三角ブロック
５  ストッパブロック
５１  ストッパ片
６  歯車
７  テープ
８  上蓋
９  テーブル
【図１】
0003141386.tif 000003
【図２】
0003141386.tif 000004
【図３】
0003141386.tif 000005
【図４】
0003141386.tif 000006
【図５】
0003141386.tif 000007
【図６】
0003141386.tif 000008
【図７】
0003141386.tif 000009
【図８】
0003141386.tif 000010
【図９】
0003141386.tif 000011
【図１０】
0003141386.tif 000012
【図１１】
0003141386.tif 000013
【図１２】
0003141386.tif 000014
【図１３】
0003141386.tif 000015